(57)【要約】  【課題】  部材の共通化により部品点数を削減して装置の高さを低くし、且つ読取り部と記録部を容易に分離することができる画像形成装置を提供することである。  【解決手段】  スキャナプリンタ（画像形成装置）１０は、原稿を読み取る読取り部と、読み取った画像を記録紙に記録する記録部とを備え、読取り部は、底面に走査用の溝を形成した読取りヘッドを備え、記録部は、インクタンクからなるキャリア１４と、キャリア１４を脱着可能に支持するとともに、上端に断面コ字状の鉤部１５ａが形成されたキャリッジ１５と、キャリッジ１５の下端部を貫通して案内走査するガイドシャフト１６と、キャリッジ１５の鉤部１５ａを引っ掛けて走査するキャリッジ用レール１７ａ及び読取りヘッドの溝を引っ掛けて走査する読取りヘッド用レール１７ｂを有するとともにガイドシャフト１６の両端を支持するフレーム１７とを備える構成とする。【選択図】      図５
2005191929.tif 000002
【特許請求の範囲】
【請求項１】
原稿を読み取る読取り部と、読み取った画像を記録紙に記録する記録部とを備えた画像
形成装置において、
前記読取り部は、底面に走査用の溝を形成した読取りヘッドを備え、
前記記録部は、インクタンクからなるキャリアと、該キャリアを脱着可能に支持すると
ともに、上端に断面コ字状の鉤部が形成されたキャリッジと、該キャリッジの下端部を貫
通して案内走査するガイドシャフトと、前記キャリッジの鉤部を引っ掛けて走査するキャ
リッジ用レール及び前記読取りヘッドの溝を引っ掛けて走査する読取りヘッド用レールを
有するとともに前記ガイドシャフトの両端を支持するフレームとを備え、
前記読取り部を囲む第１の筐体と、前記記録部を囲む第２の筐体とを備え、前記第１の
筐体と前記第２の筐体は開閉可能にヒンジで接合されることを特徴とする画像形成装置。
【請求項２】
原稿を読み取る読取り部と、読み取った画像を記録媒体に記録する記録部とを備えた画
像形成装置において、
前記読取り部は、底面に走査用の溝を形成した読取りヘッドを備え、
前記記録部は、キャリアと、該キャリアを脱着可能に支持するキャリッジと、該キャリ
ッジを案内走査するガイドシャフトと、前記キャリッジを引っ掛けて走査するキャリッジ
用レールと前記読取りヘッドの溝を引っ掛けて走査する読取りヘッド用レールとを有する
とともに前記ガイドシャフトの両端を支持するフレームとを備えたことを特徴とする画像
形成装置。
【請求項３】
前記読取りヘッドに形成する溝に替えて突条のレールを形成し、前記読取りヘッド用レ
ールに替えて溝を形成することを特徴とする請求項２記載の画像形成装置。
【請求項４】
前記キャリッジの上端に形成される断面コ字状の鉤部が前記キャリッジ用レールに引っ
掛かることを特徴とする請求項２又は３記載の画像形成装置。
【請求項５】
前記読取り部を囲む第１の筐体と、前記記録部を囲む第２の筐体とを備え、前記第１の
筐体と前記第２の筐体は開閉可能にヒンジで接合されることを特徴とする請求項２〜４の
何れかに記載の画像形成装置。
【発明の詳細な説明】
【技術分野】
【０００１】
本発明は、原稿を読み取る読取り部と、読み取った画像を記録紙に記録する記録部とを
備えた画像形成装置に関するものである。
【背景技術】
【０００２】
複写機やスキャナプリンタ等、原稿を読み取る機能と画像を印刷する機能とを有する画
像形成装置がある。一般に読取り部と印刷部とは別ユニットになっている。そのため、装
置が高くなっていた。
【０００３】
そこで、特許文献１では、読取りヘッドにより原稿を走査して読み取った画像を電気信
号化し、その電気信号により記録ヘッドを制御し、記録媒体上に走査して記録し複写画像
を得る複写装置で読取りヘッド並びに記録ヘッドの所定走査方向の移動を案内する共通の
案内部材とを備え、拡大複写時に読取りヘッド並びに記録ヘッドが前記共通の案内部材で
案内されて走査する進行方向と、縮小複写時に読取りヘッド並びに記録ヘッドが前記共通
の案内部材で案内されて走査する進行方向とは逆方向にするという手段を採っている。
【０００４】
これにより、読取りヘッドと記録ヘッドとは共通な案内部材上をお互いにぶつかり合う
ことなく、案内走査することができる。
【特許文献１】特開昭６１−２６１９６２号公報
【発明の開示】
【発明が解決しようとする課題】
【０００５】
特許文献１では、読取りヘッドは２本の主走査ガイドレールに案内支持され、主走査ガ
イドレールの両端は副走査台で支持され、副走査台は副走査ガイドレールに案内支持され
ている。なお、記録ヘッドも同様である。
【０００６】
そのため、読取りヘッドを副走査ガイドレールに沿って走査する場合には記録ヘッドも
同時に動かす必要がある。逆に記録ヘッドを走査する場合も同様である。従って、案内部
材を共通化と引き替えに両ヘッドの動作が煩雑になっている。また、読取りヘッドと記録
ヘッドが同じユニットに設けられるのでインクの交換等のメンテナンス作業を行いにくい
。
【０００７】
本発明は、部材の共通化により部品点数を削減して装置の高さを低くし、且つ読取り部
と記録部を容易に分離することができる画像形成装置を提供することを目的とする。
【課題を解決するための手段】
【０００８】
上記目的を達成するために本発明は、原稿を読み取る読取り部と、読み取った画像を記
録媒体に記録する記録部とを備えた画像形成装置において、前記読取り部は、底面に走査
用の溝を形成した読取りヘッドを備え、前記記録部は、キャリアと、該キャリアを脱着可
能に支持するキャリッジと、キャリッジを案内走査するガイドシャフトと、前記キャリッ
ジを引っ掛けて走査するキャリッジ用レールと前記読取りヘッドの溝を引っ掛けて走査す
る読取りヘッド用レールとを有するとともに前記ガイドシャフトの両端を支持するフレー
ムとを備えたことを特徴とする。
【０００９】
このように、従来必要であった記録ヘッドを案内走査するガイドシャフトを省略する代
わりに、読取りヘッドの溝を記録部の読取りヘッド用レールに引っ掛けて案内走査するこ
とにより、部材を共通化でき部品点数を削減して装置の高さを低くすることができ、且つ
読取り部と記録部を容易に分離することができる。
【００１０】
上記の画像形成装置において、前記読取りヘッドに形成する溝に替えて突条のレールを
形成し、前記読取りヘッド用レールに替えて溝を形成する構成としても、同様の効果を得
ることができる。
【００１１】
また、上記の画像形成装置において、前記キャリッジの上端に形成される断面コ字状の
鉤部が前記キャリッジ用レールに引っ掛かるようにすることで、キャリッジが案内走査可
能となる。
【００１２】
なお、前記読取り部を囲む第１の筐体と、前記記録部を囲む第２の筐体とを備え、前記
第１の筐体と前記第２の筐体は開閉可能にヒンジで接合することができる。
【００１３】
この構成により、インクの交換等のために第１の筐体を開け、読取り部と記録部を容易
に分離することができる。
【００１４】
また本発明は、原稿を読み取る読取り部と、読み取った画像を記録紙に記録する記録部
とを備えた画像形成装置において、前記読取り部は、底面に走査用の溝を形成した読取り
ヘッドを備え、前記記録部は、インクタンクからなるキャリアと、該キャリアを脱着可能
に支持するとともに、上端に断面コ字状の鉤部が形成されたキャリッジと、該キャリッジ
の下端部を貫通して案内走査するガイドシャフトと、前記キャリッジの鉤部を引っ掛けて
走査するキャリッジ用レール及び前記読取りヘッドの溝を引っ掛けて走査する読取りヘッ
ド用レールを有するとともに前記ガイドシャフトの両端を支持するフレームとを備え、前
記読取り部を囲む第１の筐体と、前記記録部を囲む第２の筐体とを備え、前記第１の筐体
と前記第２の筐体は開閉可能にヒンジで接合されることを特徴とする。
【発明の効果】
【００１５】
本発明によれば、従来必要であった記録ヘッドを案内走査するガイドシャフトを省略す
る代わりに、読取りヘッドの溝を記録部の読取りヘッド用レールに引っ掛けて案内走査す
ることにより、部材を共通化でき部品点数を削減して装置の高さを低くすることができ、
且つ読取り部と記録部を容易に分離することができる。
【発明を実施するための最良の形態】
【００１６】
図１はスキャナプリンタの外観を示す斜視図、図２は図１の蓋を開いた状態を示す図、
図３は図１の第１の筐体を開いた状態を示す図である。なお、図２、図３では簡略化のた
めスキャナプリンタの内部構造は省略している。スキャナプリンタ１０は、スキャナ等の
読取り部を内蔵する第１の筐体１１と、第１の筐体１１の上面を覆い原稿を抑えるための
蓋１２と、前面に排紙口１３ａを有し、プリンタ等の記録部を内蔵する第２の筐体１３と
から構成される。第１の筐体１１と蓋１２、また第１の筐体１１と第２の筐体１３は、そ
れぞれ背面でヒンジ（不図示）により開閉可能に接合されている。
【００１７】
図４は第２の筐体１３内のキャリア用のフレームを示す斜視図、図５はキャリアを搭載
したフレームの側面図、図６は図５の正面図、図７は図５の上面図である。なお、図４の
破線は第２の筐体１３を表わしている。
【００１８】
記録部は、インクタンク等のキャリア１４と、キャリア１４を脱着可能に支持するキャ
リッジ１５と、キャリッジ１５を案内走査するガイドシャフト１６と、キャリッジ１５を
引っ掛けて走査するキャリッジ用レール１７ａと後述する読取りヘッドの溝を引っ掛けて
走査する読取りヘッド用レール１７ｂとを有するとともにガイドシャフト１６の両端を支
持するフレーム１７とを備えている。
【００１９】
キャリア１４はキャリッジ１５に爪等の係止部（不図示）で固定されている。また、キ
ャリッジ１５の上端には、キャリッジ用レール１７ａに引っ掛けるための断面コ字状の鉤
部１５ａが形成されている。なお、鉤部１５の形成位置はキャリッジ１５の上端に限定さ
れることはなく、中央付近等でもよい。更に、鉤部１５ａの内側には半球状の突起１５ｂ
が形成されている。この突起１５ｂがキャリッジ用レール１７ａと接することにより、キ
ャリッジ１５を滑らかに走査させることができる。
【００２０】
ガイドシャフト１６は読取りヘッド用レール１７ｂとともにキャリッジ１５を支持でき
ればよく、図５のようにキャリッジ１５の下端付近や中央付近に設けることができる。な
お、キャリッジ１５を安定に支持するために鉤部１５ａとガイドシャフト１６はなるべく
離して設けることが望ましい。
【００２１】
キャリッジ用レール１７ａは鉤部１５ａを引っ掛けることができればよく、図５のよう
に直角に屈曲した板としたり、溝状の部材を用いたりすることができる。また、読取りヘ
ッド用レール１７ｂは後述する読取りヘッドの溝に合う形状であればよく、図５のように
板状としたり、板状の先端部を丸めた部材を用いたりすることができる。
【００２２】
上記の構成により、キャリア１４はガイドシャフト１６と平行に安定して走査可能とな
っている。
【００２３】
図８は第１の筐体１１内の読取りヘッドを示す斜視図である。読取り部は、イメージセ
ンサからなる読取りヘッド１８を備え、読取りヘッド１８の底面には走査用の溝１８ａが
形成されている。この溝１８ａは記録部の読取りヘッド用レール１７ｂに引っ掛かる。こ
れにより、読取りヘッド１８は読取りヘッド用レール１７ｂに案内されて走査する。その
際、読取りヘッド１８とキャリッジ１５は互いに接触することはない。また、読取り部と
記録部とは溝１８ａと読取りヘッド用レール１７ｂとが接触しているだけなので、図３の
ように、インクの交換等のために第１の筐体１１を開けることができる。
【００２４】
なお、読取りヘッドの溝と読取りヘッド用レール１７ｂの構造を逆にしても問題はない
。即ち、読取りヘッドの底面にレールとなる突条のレールを設け、フレーム１７の上端に
溝を設けてもよい。
【００２５】
このように、従来必要であった記録ヘッドを案内走査するガイドシャフトを省略する代
わりに、読取りヘッド１８の溝１８ａを記録部の読取りヘッド用レール１７ｂに引っ掛け
て案内走査することにより、部材を共通化でき部品点数を削減して装置の高さを低くする
ことができ、且つ読取り部と記録部を容易に分離することができる。
【産業上の利用可能性】
【００２６】
本発明の画像形成装置は、スキャナプリンタや複写機等、原稿を読み取る読取り部と、
読み取った画像を記録紙に記録する記録部とを備えた画像形成装置に利用することができ
る。
【図面の簡単な説明】
【００２７】
【図１】スキャナプリンタの外観を示す斜視図である。
【図２】図１の蓋を開いた状態を示す図である。
【図３】図１の第１の筐体を開いた状態を示す図である。
【図４】第２の筐体内のキャリア用のフレームを示す斜視図である。
【図５】キャリアを搭載したフレームの側面図である。
【図６】図５の正面図である。
【図７】図５の上面図である。
【図８】第１の筐体内の読取りヘッドを示す斜視図である。
【符号の説明】
【００２８】
１０    スキャナプリンタ（画像形成装置）
１１    第１の筐体
１２    蓋
１３    第２の筐体
１３ａ  排紙口
１４    キャリア
１５    キャリッジ
１５ａ  鉤部
１５ｂ  突起
１６    ガイドシャフト
１７    フレーム
１７ａ  キャリッジ用レール
１７ｂ  読取りヘッド用レール
１８    読取りヘッド
１８ａ  溝
【図１】
2005191929.tif 000003
【図２】
2005191929.tif 000004
【図３】
2005191929.tif 000005
【図４】
2005191929.tif 000006
【図５】
2005191929.tif 000007
【図６】
2005191929.tif 000008
【図７】
2005191929.tif 000009
【図８】
2005191929.tif 000010